(57)【要約】【課題】マルチメディアファイル選択システムの提供。【解決手段】マルチメディアファイル選択システム１は、タッチパネル２、メモリユニット３、タッチパネル２に設置するメモリユニット３に保存し、画像アレーの方式で、タッチパネル２に排列して表示する複数のマルチメディアファイル４、少なくとも１個のファイルサーチ選択ユニット５を備え、ファイルサーチ選択ユニット５が、タッチパネル２に触れると、各マルチメディアファイル４は、ファイルサーチ選択ユニット５移動の方向に従い移動し、これにより使用者はメモリユニット２に保存されているマルチメディアファイル４を簡単に、かつ迅速にチェックでき、再生を選択することができる。【選択図】図１
0003154965.tif 000002
【実用新案登録請求の範囲】
【請求項１】
タッチパネル、メモリユニット、複数のマルチメディアファイル、少なくとも１個のファイルサーチ選択ユニットを備え、
前記メモリユニットは、前記タッチパネルに設置し、
前記複数のマルチメディアファイルは、前記メモリユニットに保存し、画像アレーの方式で、前記タッチパネルに排列して表示し、
前記少なくとも１個のファイルサーチ選択ユニットが、前記タッチパネルに触れると、前記各マルチメディアファイルは、前記ファイルサーチ選択ユニット移動の方向に従い移動することを特徴とするマルチメディアファイル選択システム。
【請求項２】
前記ファイルサーチ選択ユニットにより、前記各マルチメディアファイルの内の一つを選択し、前記選択したマルチメディアファイルの内容を再生することを特徴とする請求項１に記載のマルチメディアファイル選択システム。
【請求項３】
前記画像アレー排列の方式は、平面排列、曲面排列、延伸式平面排列、柱面排列、或いは球面排列であることを特徴とする請求項１に記載のマルチメディアファイル選択システム。
【請求項４】
前記メモリユニットは、ハードディスク、光ディスク、或いはメモリカードであることを特徴とする請求項１に記載のマルチメディアファイル選択システム。
【請求項５】
前記ファイルサーチ選択ユニットは、使用者の手であることを特徴とする請求項１に記載のマルチメディアファイル選択システム。
【考案の詳細な説明】
【技術分野】
【０００１】
本考案はマルチメディアファイル選択システムに関し、特にマルチメディアファイルが、ファイルサーチ選択ユニット移動の方向に従い移動するマルチメディアファイル選択システムに関する。
【背景技術】
【０００２】
従来のファイル選択システムの多くは、単純なウィンドウ方式でモニター上に表示され、使用者は、シンプルにマウスにより必要なファイルを選択するものである。しかし近年、タッチパネル技術の発展により、使用者は指を用いて必要なファイルを選択する方式が増えているが、そのファイルがマルチメディアファイルである時には、使用者が、ファイルの名称だけでその内容を理解するのは難しいこともある。そのため、ファイルのサーチに、無駄に時間がかかってしまっている。ファイル形式は、画像表示の方式により表示することもできるが、ファイル数が多ければ、使用者は頻繁にウィンドウを左右、或いは上下に動かし、必要なファイルを選択しなければならない。これでは、使用者にとって、非常に不便である。
【０００３】
本考案は、従来のマルチメディアファイル選択システムの上記した欠点に鑑みて、マルチメディアファイルがファイルサーチ選択ユニット移動の方向に従い移動し、これにより使用者はメモリユニットに保存されているマルチメディアファイルを簡単に迅速にチェックすることができ、再生を選択することができるようなされたものである。
【考案の概要】
【考案が解決しようとする課題】
【０００４】
本考案が解決しようとする課題は、マルチメディアファイルはファイルサーチ選択ユニット移動の方向に従い移動し、これにより使用者はメモリユニットに保存されているマルチメディアファイルを簡単に迅速にチェックでき、再生を選択することができるマルチメディアファイル選択システムを提供することである。  
【課題を解決するための手段】
【０００５】
上記課題を解決するため、本考案は下記のマルチメディアファイル選択システムを提供する。
マルチメディアファイル選択システムは、タッチパネル、メモリユニット、複数のマルチメディアファイル、少なくとも１個のファイルサーチ選択ユニットを備え、
該メモリユニットは、該タッチパネルに設置し、
該複数のマルチメディアファイルは、該メモリユニットに保存し、画像アレーの方式で、該タッチパネルに排列して表示し、
該少なくとも１個のファイルサーチ選択ユニットが、該タッチパネルに触れると、該各マルチメディアファイルは、該ファイルサーチ選択ユニット移動の方向に従い移動し、
これにより使用者は、該メモリユニットに保存されているマルチメディアファイルを簡単に、かつ迅速にチェックでき、再生を選択することができる。
【考案の効果】
【０００６】
本考案マルチメディアファイル選択システムにより、マルチメディアファイルはファイルサーチ選択ユニット移動の方向に従い移動し、これにより使用者はメモリユニットに保存されているマルチメディアファイルを簡単に、かつ迅速にチェックでき、再生を選択することができる。
【図面の簡単な説明】
【０００７】
【図１】本考案マルチメディアファイル選択システムの第一実施例模式図である。
【図２】本考案マルチメディアファイル選択システムの第二実施例模式図である。
【図３】本考案マルチメディアファイル選択システムの第三実施例模式図である。
【図４】本考案マルチメディアファイル選択システムの第四実施例模式図である。
【図５】本考案マルチメディアファイル選択システムの第五実施例模式図である。
【図６】本考案マルチメディアファイル選択システムの第六実施例模式図である。
【考案を実施するための形態】
【０００８】
以下に図面を参照しながら本考案を実施するための最良の形態について詳細に説明する。
【実施例】
【０００９】
本考案マルチメディアファイル選択システムの第一実施例模式図である図１に示すように、本考案マルチメディアファイル選択システム１は、タッチパネル２、メモリユニット３(ハードディスク、光ディスク、メモリカードなどであるが、これに限定しない)、複数のマルチメディアファイル４、少なくとも１個のファイルサーチ選択ユニット５(使用者の手などであるが、これに限定しない)を備える。メモリユニット３は、タッチパネル２に設置する。マルチメディアファイル４は、メモリユニット３に保存し、画像アレーの方式で、タッチパネル２に排列して表示する。ファイルサーチ選択ユニット５が、タッチパネル２に触れると、各マルチメディアファイル４は、ファイルサーチ選択ユニット５移動の方向に従い移動する。使用者が必要なファイルを見つけた場合には、ファイルサーチ選択ユニット５(使用者の手など)により、各マルチメディアファイル４の内の一つを選択するだけで、選択されたマルチメディアファイルの内容を再生し、或いは選択されたマルチメディアファイルを表す画像を拡大することができる。本実施例においては、画像アレー排列の方式は、単純な平面排列方式であるため、各マルチメディアファイル４は、ファイルサーチ選択ユニット５移動の方向に従い、平面移動を示す。
【００１０】
本考案マルチメディアファイル選択システムの第二実施例模式図である図２に示すように、多数のファイルサーチ選択ユニット５(使用者の両手などであるが、これに限定しない)を利用して、マルチメディアファイル４をサーチする時、上記第一実施例に関する説明のように、各マルチメディアファイル４は、ファイルサーチ選択ユニット５移動の方向に従い移動するため、本実施例の２個のファイルサーチ選択ユニット５がそれぞれ別々の方向に移動する時には、各マルチメディアファイル４は、それぞれファイルサーチ選択ユニット５の方向に従い、分かれて移動する。
【００１１】
本考案マルチメディアファイル選択システムの第三実施例模式図である図３は、各マルチメディアファイル４が、タッチパネル２上において、延伸式平面排列を採用する時の状況を示す。延伸式平面排列とは、すなわち、マルチメディアファイル４は平面であるが、使用者注視の角度とは垂直ではなく、よって、延伸立体感を備える排列方式を形成する。上記した第一、二実施例と同様、使用者はファイルサーチ選択ユニット５を利用して、各マルチメディアファイル４を引き動かし、或いは分けることができる。
【００１２】
本考案マルチメディアファイル選択システムの第四実施例模式図である図４は、各マルチメディアファイル４が、タッチパネル２上において、曲面排列を採用する時の状況を示す。上記と同様に、使用者は、ファイルサーチ選択ユニット５を利用して、各マルチメディアファイル４を引き動かし、或いは分けることができる。
【００１３】
本考案マルチメディアファイル選択システムの第五実施例模式図である図５は、各マルチメディアファイル４が、タッチパネル２上において、柱面排列を採用する時の状況を示す。上記と同様に、使用者は、ファイルサーチ選択ユニット５を利用して、各マルチメディアファイル４を引き動かし、或いは分けることができる。本実施例の各マルチメディアファイル４は、柱面排列を採用するため、引き動かす時には、軸芯に沿って回転する効果を備える。同時に、表示効果を強化するため、柱面前方に位置するマルチメディアファイル４は、透明の効果を呈し、柱面後方に位置するマルチメディアファイル４は、反射の効果を呈する。これにより、各マルチメディアファイル４を表す図示は、使用者にとって一目瞭然である。
【００１４】
本考案マルチメディアファイル選択システムの第六実施例模式図である図６は、各マルチメディアファイル４が、タッチパネル２上において、球面排列を採用する時の状況を示す。上記と同様に、使用者は、ファイルサーチ選択ユニット５を利用して、各マルチメディアファイル４を引き動かし、或いは分けることができる。本実施例の各マルチメディアファイル４は、球面排列を採用するため、引き動かす時には、球芯に沿って回転する効果を備える。同時に、表示効果を強化するため、球面前方に位置するマルチメディアファイル４は、透明の効果を呈し、球面後方に位置するマルチメディアファイル４は、反射の効果を呈する。これにより、各マルチメディアファイル４を表す図示は、使用者にとって一目瞭然である。
【００１５】
マルチメディアファイル４の排列方式が、上記した各実施例の形式に限定されないことは、本考案技術の習熟者にとっては、容易に理解できることである。すなわち、適当な処理により、平面排列、球面排列、延伸式平面排列、柱面排列、或いは球面排列などを相互に転換、或いは結合し、或いは様々な排列方式により拡大し、視角上の立体効果などの視角変化を生じることができ、これらもすべて本考案の保護範囲に含むものとする。
【００１６】
上記のように、本考案マルチメディアファイル選択システムにより、マルチメディアファイル４は、ファイルサーチ選択ユニット５移動の方向に従い移動するため、使用者はメモリユニットに保存されているマルチメディアファイル４を簡単、かつ迅速にチェックすることができ、さらに再生を選択することができる。
【００１７】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１８】
本考案は実用新案の要件である新規性を備え、従来の同類製品に比べ十分な進歩を有し、実用性が高く、社会のニーズに合致しており、産業上の利用価値は非常に大きい。
【符号の説明】
【００１９】
１  マルチメディアファイル選択システム
２  タッチパネル
３  メモリユニット
４  マルチメディアファイル
５  ファイルサーチ選択ユニット
【図１】
0003154965.tif 000003
【図２】
0003154965.tif 000004
【図３】
0003154965.tif 000005
【図４】
0003154965.tif 000006
【図５】
0003154965.tif 000007
【図６】
0003154965.tif 000008